(57)【特許請求の範囲】
【請求項１】
送りモータのモータ軸の一方に送りネジが固定された送りネジ一体型の送り機構において、
上記送りネジの中心部には上記モータ軸の径より大きい径の軸穴が形成され、この軸穴に上記モータ軸が洞貫され、該モータ軸の先端側にてモータ軸と固定される一方、
上記モータ軸の送りネジが固定された側の先端部及び送りネジが固定された側とは反対側の後端部がそれぞれ第１及び第２の軸受で受けられ、
かつ、上記送りネジの送りモータ本体側の後端部における上記軸孔は上記モータ軸の径より大きな径を有するとともに、上記送りネジの送りモータ本体側の後端部が第３の軸受で受けられていることを特徴とする送り機構。
【請求項２】
上記送りネジに形成された軸穴は、モータ本体側とは反対側の端部においてモータ軸とほぼ同じ径に形成されており、このほぼ同じ径を有する部分でモータ軸に固定されていることを特徴とする請求項１に記載の送り機構。
【請求項３】
光ディスクに対して情報の記録及び／又は再生を行う光ディスク記録再生装置に搭載され、請求項１又は２に記載された送り機構にて、情報の記録及び／又は再生を行う記録再生ヘッド部を平行移動させることを特徴とする光ディスク記録再生装置用送り機構。
【発明の詳細な説明】
【０００１】
【発明の属する技術分野】
本発明は、例えば光ディスク記録再生装置に、ピックアップの送り機構として供される送り機構に関するもので、より詳細には、送りモータのモータ軸の一方にその外周に沿って送りネジが固定された送りネジ一体型の送り機構に関するものである。
【０００２】
【従来の技術】
図５に、ディスクカートリッジを着脱して信号の記録再生を行う、従来の一般的な光ディスク記録再生装置に搭載されたディスクドライブの構成を示す。なお、図５においては、（ａ）がディスクドライブの平面図、（ｂ）が側面図、（ｃ）が裏面図である。
【０００３】
ディスクドライブの本体部をなすメインシャーシ１０３の上部には、カートリッジホルダ１２６が取り付けられており、このカートリッジホルダ１２６が上がった状態で、平面図手前側よりカートリッジ１０２をカートリッジホルダ１２６に挿入する。そして、その後、カートリッジホルダ１２６がカートリッジホルダ回転支点１２７を中心に回転し、ディスクドライブに装着される。メインシャーシ１０３のほぼ中央には、スピンドルモータ１０４が配置され、メインシャーシ１０３上に突出しているスピンドルモータ軸に取り付けられた図示しないハブにて光磁気ディスク１０１をチャッキングし、情報の記録再生時等に所定の回転速度で回転させる。
【０００４】
この光磁気ディスク１０１を間に挟んで、ピックアップユニット１０７と磁気ヘッド１１２が互いに対向するように配置されている。
【０００５】
ピックアップユニット１０７は、レーザ光源１０８から出射されたレーザ光を、ミラー１０９またはプリズムにて光磁気ディスク１０１側へと直角方向に反射し、この反射されたレーザ光を対物レンズ１１１にて光磁気ディスク１０１の記録層上に集光させるように構成されている。
【０００６】
ピックアップユニット１０７全体は、ピックアップ送り機構（以下、送り機構と称する）１１５にて、メインシャーシ１０３にスピンドルモータ１０４のモータ軸と直角をなす方向に固定されたガイド軸１１９上を、光磁気ディスク１０１の半径方向にスライドするように構成されている。
【０００７】
送り機構１１５は、送りモータ１１６、伝達機構１１７、送りネジ１１８等で構成され、送りモータ１１６が回転することにより、その回転力を伝達機構１１７に伝達して送りネジ１１８を回転させ、送りネジ１１８に噛み合ったピックアップユニット１０７を光磁気ディスク１０１の半径方向にスライドさせるものである。ここで、上記伝達機構１１７は、送りモータ１１６の伝達トルクを送りネジ１１８部分で増加させるために、通常は、送りモータ１１６の回転数を減少させるものである。
【０００８】
送りネジ１１８とピックアップユニット１０７の噛み合わせ部分を、本発明の説明図である図３を参照して説明する。ピックアップユニット１０７にはグリップバネ１２０が取り付けられ、グリップバネ１２０の先端部には前記送りネジ１１８にガタ無く噛み合うような形状の突起部が設けられている。グリップバネ１２０全体はバネ性を有しており、前記突起部が送りネジ１１８に押し付けられるように固定されている。これによって、ピックアップユニット１０７は、前記送りネジ１１８の回転によりガタ無く光磁気ディスク１０１の半径方向にスライドするものである。
【０００９】
一方、磁気ヘッド１１２は、フェライトにて一体に形成されたコアを取り囲むようにコイルが挿入されて構成されている。この磁気ヘッド１１２は、光磁気ディスク１０１の直角方向に荷重が掛かるばね構成のサスペンション１１３に取り付けられ、サスペンション１１３は、ヘッド取付アングル１１４に固定されている。ヘッド取付アングル１１４は、前記磁気ヘッド１１２と対物レンズ１１１にて集光されたスポットとの位置決めをされた状態で、ピックアップユニット１０７のハウジング１１０に固定されている。これにより、ピックアップユニット１０７が、送り機構１１５によって光磁気ディスク１０１の半径方向にスライドする時は、ハウジング１１０に固定された前記磁気ヘッド１１２も連動してスライドする。
【００１０】
磁気ヘッド１１２は、情報の記録時は光磁気ディスク１０１のディスク面に付勢されるが、再生時や取り出し時には磁気ヘッド昇降機構にて磁気ヘッド１１２を昇降させ、磁気ヘッド１１２をディスク面より離間させている。
【００１１】
磁気ヘッド昇降機構は、メインシャーシ１０３の下面に配置されたヘッド昇降モータ１２３および減速機構１２５、前記ヘッド昇降モータ１２３および減速機構１２５により駆動される回転レバー１２４、前記回転レバー１２４により駆動される操作レバー１２２、および磁気ヘッド１１２のサスペンション１１３とカートリッジ１０２の間に回転自在に設けられたヘッド昇降レバー１２１とからなる。
【００１２】
すなわち、ヘッド昇降モータ１２３の回転力が減速機構１２５から回転レバー１２４に伝達され、操作レバー１２２をスライドさせる。そして操作レバー１２２がヘッド昇降レバー１２１を回転させ、サスペンション１１３と磁気ヘッド１１２を光磁気ディスク１０１より所定量離間させる。通常、ヘッド昇降レバー１２１はカートリッジ１０２の上側にあるが、ヘッド昇降レバー１２１を動作させる駆動部はメインシャーシ１０３の下側にあり、操作レバー１２２にてカートリッジ１０２の外周部より上下を連結している。
【００１３】
このような構成のディスクドライブを備えた光ディスク記録再生装置において、光磁気ディスク１０１に対して情報の記録を行うには、光磁気ディスク１０１をスピンドルモータ１０４にて所定の回転速度で回転させ、前記磁気ヘッド１１２をヘッド昇降メカニズムにて降下させ、サスペンション１１３によってディスク面に付勢し、更に光磁気ディスク１０１に形成される記録層に、ピックアップユニット１０７からレーザ光を入射させる。
【００１４】
これにより、記録層中、レーザ光の入射を受けた部分が、レーザ光にて温度上昇し、外部磁界の向きに応じた磁化変化を行う。外部磁界は、記録信号に応じて変化するという、所謂磁界変調方式によって、記録層に所定のパターンをもって磁化方向反転領域が形成されて情報の書き込みが行われる。そして、送り機構１１５によって、ピックアップユニット１０７を光磁気ディスク１０１の半径方向に移動させながら、順次記録していく。
【００１５】
一方、光磁気ディスク１０１に対して情報の再生を行うには、前記磁気ヘッド１１２の昇降メカニズムにて、サスペンション１１３と磁気ヘッド１１２を光磁気ディスク１０１より所定量離間させる。この状態でレーザ光によって情報を読み出す。そして、記録の時と同様に送り機構によって、ピックアップユニット１０７を光磁気ディスク１０１の半径方向に移動させながら、順次再生していく。
【００１６】
また、図６に、光ディスク記録再生装置に搭載される、上記とは別の従来のディスクドライブを示す。なお、図６においては、（ａ）がディスクドライブの平面図、（ｂ）が側面図、（ｃ）が裏面図である。
【００１７】
図６に示すディスクドライブと、図５の示したディスクドライブとの大きな違いは、ピックアップユニット７全体を光磁気ディスク１の半径方向にスライド移動させる送り機構２１５にある。図６に示すディスクドライブの送り機構２１５は、送りモータ２１６と送りネジ２１８とが一体化されている。
【００１８】
図７に、この送り機構２１５における送りモータ機構部分を拡大して示す。なお、図７においては、（ａ）が送りモータ機構部分の平面図、（ｂ）が正面図である。上記送り機構２１５では、送りモータ２１６のモータ軸２３２を伸ばし、これに送りネジ２１８が固定されている。なお、図において、２３３、２３４、２３５は、送りネジ２１８と一体化されたモータ軸２３２を受ける軸受けであり、２３０はモータハウジング、２３１はモータアングル、２３７はモータブラシである。
【００１９】
なお、図６に示したディスクドライブにおける送り機構２１８以外の部分の説明は、本発明の実施の形態の項で説明する図２のディスクドライブと共通するので、図２と同じ部材番号を付し、ここでは説明は省略する。
【００２０】
【発明が解決しようとする課題】
しかしながら、上記した従来のディスクドライブに採用されている送り機構１１５・２１５の構成では、以下のような問題がある。
【００２１】
まず、前者の送り機構１１５であるが、光ディスク記録再生装置においては、記録再生時に光磁気ディスク１０１に書き込む位置がランダムな場合もあり得るため、データをとぎれさせることなく記録再生するために、高速でピックアップユニット１０７を移動させることが必要である。
【００２２】
ところが、送り機構１１５のように、送りモータ１１６と送りネジ１１８とが分離され、その間に設けられた伝達機構１１７で減速させる構成では、送りモータ１１６の伝達トルクは送りネジ１１８部分で増加するものの、送りモータ１１６の回転数はトルク増加分送りネジ１１８部分で減少するため（回転数を犠牲にして、トルクを大きくしている）、ピックアップユニット１０７の高速送りには不向きである。
【００２３】
また、送り機構１１５の構成において、無理に高速送りをしようとすると、ギア等の伝達機構１１７が入っているため、送りモータ１１６の回転数が高くなったりギアの動作音がするなどで、騒音が大きくなるという問題が発生する。さらに、分離された送りモータ１１６と送りネジ１１８との間に配設される伝達機構１１７等、部品点数が多いという問題点もある。
【００２４】
一方、送りモータ２１６と送りネジ２１８を一体化した後者の送り機構２１５は、伝達機構１１７を持たないため、回転数を犠牲にすることもなく、また、ギアの動作音がするなど騒音の問題も、部品点数が多いという問題もない。しかしながら、図７（ａ)(ｂ）に示すように、モータ軸２３２を受ける３ヶ所の軸受２３３・２３４・２３５が、一直線上に並ぶ構造となるため、加工上や組立上の公差により、モータ軸２３２が組み付けられなかったり、たとえ組み付けられたとしても、回転負荷が特に中央部に大きく掛かってしまい、モータ軸２３２の変形や軸受２３３・２３４・２３５の早期磨耗といった問題が発生する。
【００２５】
【課題を解決するための手段】
本発明の送り機構は、上記課題を解決するために、送りモータのモータ軸の一方に送りネジが固定された送りネジ一体型の送り機構において、上記送りネジの中心部には上記モータ軸の径より大きい径の軸穴が形成され、この軸穴に上記モータ軸が洞貫され、該モータ軸の先端側にてモータ軸と固定される一方、上記モータ軸の送りネジが固定された側の先端部及び送りネジが固定された側とは反対側の後端部がそれぞれ第１及び第２の軸受で受けられ、かつ、上記送りネジの送りモータ本体側が第３の軸受で受けられていることを特徴としている。
【００２６】
本発明の光ディスク記録再生装置用送り機構は、上記課題を解決するために、光ディスクに対して情報の記録及び／又は再生を行う光ディスク記録再生装置に搭載され、上記した本発明の送り機構にて、情報の記録及び／又は再生を行う記録再生ヘッド部を平行移動させることを特徴としている。
【００２７】
上記の構成では、まず、モータ軸と送りネジとが一体化された構成であるので、騒音が小さく、高速送りが可能であり、また、伝達機構が必要ない分、部品点数を少なくできるといった利点を有している。
【００２８】
これに加えて、上記の構成では、送りモータのモータ軸は、その先端とその後端の２ヶ所を第１及び第２の軸受でそれぞれ受けられているので、従来の３つの軸受が一直線上に並ぶ構成のように、加工上や組立上の公差を原因として、精度的に過拘束となったり、余分な負荷が掛かるといったことがなく、モータ軸は変形することなく精度良く回転し、また、これを受ける軸受の早期磨耗といった問題も生じない。
【００２９】
さらに、モータ軸に固定された送りネジに形成された軸穴の径を、モータ軸の径より大きく形成し、この送りネジのほぼ両端を第２及び第３の軸受で受けているので、送りネジに例えば前述のようにグリップバネの荷重が掛かったとしても、ほとんど変形することがなく、精度良く回転できるものである。また、モータ軸にはグリップバネの荷重が掛からないため、モータ軸も変形することがない。
【００３０】
また、本発明の送り機構及び光ディスク記録再生装置用送り機構は、上記課題を解決するために、上記構成に加えて、上記送りネジに形成された軸穴は、モータ本体側とは反対側の端部においてモータ軸とほぼ同じ径に形成されており、このほぼ同じ径を有する部分でモータ軸に固定されていることを特徴としている。
【００３１】
上記の構成により、固定部材等を用いて送りネジを固定する構成に比べて、モータ軸に対する送りネジの固定が容易であり、かつ、部品点数も少なくてすむ。
【００３２】
【発明の実施の形態】
以下、本発明の実施の一形態について、図１ないし図４を用いて、以下に説明する。なお、本実施の形態では、ディスクカートリッジを着脱して信号の記録再生を行う光ディスク記録再生装置のディスクドライブにおけるピックアップの送り機構（光ディスク記録再生装置用送り機構）に、本発明の送り機構及びが採用されている例を挙げるが、本発明の送り機構は何らこれに限定されるものではない。
【００３３】
図２に、本実施の形態で説明する、光ディスク記録再生装置のディスクドライブの構成を示す。なお、図２においては、（ａ）がディスクドライブの平面図、（ｂ）が側面図、（ｃ）が裏面図である。
【００３４】
ディスクドライブの本体部をなすメインシャーシ３の上部には、カートリッジホルダ２６が取り付けられており、カートリッジホルダ２６が上がった状態で、平面図手前側よりカートリッジ２をカートリッジホルダ２６に挿入する。挿入後、カートリッジホルダ２６がカートリッジホルダ回転支点２７を中心に回転し、ドライブに装着される。
【００３５】
メインシャーシ３のほぼ中央には、スピンドルモータ４が配置され、メインシャーシ３上に突出しているスピンドルモータ軸に取り付けられた図示しないハブ６にて光磁気ディスク１をチャッキングし、情報の記録再生時等に所定の回転速度で回転させる。
【００３６】
この光磁気ディスク１を間に挟んで、ピックアップユニット（記録再生ヘッド部）７と磁気ヘッド１２とが、互いに対向するように配置されている。
【００３７】
ピックアップユニット７は、レーザ光源８から出射されたレーザ光を、ミラー９またはプリズムにて光磁気ディスク１側へと直角方向に反射し、この反射されたレーザ光を対物レンズ１１にて光磁気ディスク１の記録層上に集光させるように構成されている。
【００３８】
ピックアップユニット７全体は、送り機構１５にて、メインシャーシ３にスピンドルモータ４のモータ軸と直角をなす方向に固定されたガイド軸１９上を、光磁気ディスク１の半径方向にスライドするように構成されている。
【００３９】
上記送り機構１５の詳細については、図１を用いて後述するが、送りモータ１６が回転することにより、送りモータ１６と一体になった送りネジ１８が回転し、送りネジ１８に噛み合ったピックアップユニット７を光磁気ディスク１の半径方向にスライドさせるものである。
【００４０】
図３に、送りネジ１８とピックアップユニット７の噛み合わせ部分を拡大して示す。ピックアップユニット７にはグリップバネ２０が取り付けられ、グリップバネ２０の先端部には送りネジ１８にガタ無く噛み合うような形状の突起部（不図示）が設けられている。グリップバネ２０全体はバネ性を有しており、前記突起部が送りネジ１８に押し付けられるように固定されている。これによって、ピックアップユニット７は、送りネジ１８の回転により、ガタつくこと無く光磁気ディスク１の半径方向にスライドするものである。
【００４１】
一方、磁気ヘッド１２は、フェライトにて一体に形成されたコアを取り囲むようにコイルが挿入されて構成されている。この磁気ヘッド１２は、光磁気ディスク１の直角方向に荷重が掛かるばね構成のサスペンション１３に取り付けられ、サスペンション１３は、ヘッド取付アングル１４に固定されている。ヘッド取付アングル１４は、磁気ヘッド１２と、対物レンズ１１にて集光されたスポットとの位置決めをされた状態で、ピックアップユニット７のハウジング１０に固定されている。これにより、ピックアップユニット７が、送り機構１５によって光磁気ディスク１の半径方向にスライドする時は、ハウジング１０に固定された磁気ヘッド１２も連動してスライドする。
【００４２】
磁気ヘッド１２は、情報の記録時は光磁気ディスク１のディスク面に付勢されるが、再生時や取り出し時には磁気ヘッド昇降機構にて磁気ヘッド１２を昇降させ、磁気ヘッド１２をディスク面より離間させている。
【００４３】
磁気ヘッド昇降機構は、メインシャーシ３の下面に配置されたヘッド昇降モータ２３および減速機構２５、前記ヘッド昇降モータ２３および減速機構２５により駆動される回転レバー２４および磁気ヘッド１２のサスペンション１３とカートリッジ２との間に回転自在に設けられたヘッド昇降レバー２１とからなる。
【００４４】
すなわち、ヘッド昇降モータ２３の回転力が減速機構２５から回転レバー２４に伝達される。そして、回転レバー２４がヘッド昇降レバー２１を回転させ、サスペンション１３と磁気ヘッド１２とを光磁気ディスク１より所定量離間させる。通常、ヘッド昇降レバー２１はカートリッジ２の上側にあるが、ヘッド昇降レバー２１を動作させる駆動部はメインシャーシ３の下側にあり、回転レバー２４にてカートリッジ２の外周部より上下を連結している。
【００４５】
このような構成において、光磁気ディスク１に対して情報の記録を行う場合は、光磁気ディスク１をスピンドルモータ４にて所定の回転速度で回転させ、磁気ヘッド１２を磁気ヘッド昇降機構にて降下させ、サスペンション１３によってディスク面に付勢し、更に光磁気ディスク１に形成される記録層に、ピックアップユニット７からレーザ光を入射させる。
【００４６】
これにより、記録層中、レーザ光の入射を受けた部分が、レーザ光にて温度上昇し、外部磁界の向きに応じた磁化変化を行う。外部磁界は、記録信号に応じて変化するという、所謂、磁界変調方式によって、記録層に所定のパターンをもって磁化方向反転領域が形成されて情報の書込みが行われる。そして、送り機構１５によって、ピックアップユニット７を、光磁気ディスク１の半径方向に移動させながら、順次記録していく。
【００４７】
また、光磁気ディスク１に対して情報の再生が行われる場合には、磁気ヘッド昇降機構にて、サスペンション１３と磁気ヘッド１２を光磁気ディスク１より所定量離間させる。この状態でレーザ光によって情報を読み出す。そして、記録の時と同様に送り機構１５によって、ピックアップユニット７を光磁気ディスク１の半径方向に移動させながら順次再生していくものである。
【００４８】
次に、上記送り機構１５について説明する前に、本願発明者らが、図７に示した従来の送り機構２１５の有する問題点を解決するものとして始めに提案した、本発明の前提とも言える送り機構について説明しておく。
【００４９】
図４に、前提となる送り機構３１５の構成を示す。なお、図４においては、（ａ）が送りモータ機構部分の平面図、（ｂ）が正面図である。なお、説明の便宜上、前述の図７に示した構成要素と同一の機能を有する構成要素については、同一の符号を付し、その説明を省略する。
【００５０】
図４に示すように、本発明の前提となる送り機構３１５は、送りモータ２１６と送りネジ２１８とが一体化されている構成において、モータ軸２３２を中央で受ける軸受２３４の内径を、加工上や組立上の公差分だけ大きくして、公差の吸収を図った構成である。
【００５１】
前述したように、このような送りモータ２１６と送りネジ２１８とが一体化された構成では、騒音を小さくした上でピックアップユニット７の送りが高速に行え、さらに伝達機構が必要ないので、部品点数を削減できるといったメリットを備えており、それに加えて、これにより、加工上や組立上の公差を吸収することができるので、該公差を起因としたモータ軸２３２の変形等をなくすことができる。
【００５２】
ところが、実際にこの送り機構３１５を用いたところ、この構成では、ピックアップユニット７が送りモータ２１６側に近づいたとき、送りネジ２１８に掛かるグリップバネ２０（図３参照）の荷重によって、中央の軸受２３４の内径を大きくした分だけモータ軸２３２が送りネジ２１８ごと変形してしまい、グリップバネ２０のバネ性が追従しなくなり、ピックアップユニット７を精度良く送れなくなるといった不具合を招来することがわかった。
【００５３】
また、本願発明者らは、前述した図７の送りネジ２１８を送りモータ２１６に一体化した送り機構２１５の構成において、３つの軸受２３３・２３４・２３５が一直線上に並んだ場合の上記公差による問題をなくすために、モータブラシ２３７側の軸受２３３の内径を大きくしたものや、モータ軸２３２の先端側の軸受２３５の内径を大きくしたものについても試みた。しかしながら、前者のものは、モータブラシ２３７が変位したり振れが大きくなってモータブラシ２３７の信頼性が低下し、後者のものは、モータ軸２３２の先端部変位や振れが大きくなってグリップバネ２０との噛み合いが不完全になる等の不具合を招来した。
【００５４】
このような前提となる送り機構３１５等の不具合を解決し得る構成として、本願発明者らは、上記送り機構１５を提案した。
【００５５】
以下、図１を用いて、ピックアップユニット７を光磁気ディスク１の半径方向にスライドさせる送り機構１５について詳細に説明する。なお、図１において、（ａ）が送りモータ機構部分の平面図、（ｂ）が正面図である。
【００５６】
送りモータ１６のモータ軸３２は、一方側が他方に比べて長く形成されており、この長く延びる方に送りネジ１８が固定されている。送りネジ１８は、その表面にピックアップユニット７と噛み合う複数の溝４０が形成され、その中心部にはモータ軸３２が洞貫される軸穴４１が形成されている。この軸４１は、モータ軸３２の径より大きい径を有しており、送りネジ１８の片側端部の部分においてのみ、モータ軸３２の径とほぼ同じ径に形成されている。以下、このモータ軸３２の径とほぼ同じ径に形成されている部分を小径部４１ａと称する。
【００５７】
このような送りネジ１８は、モータ軸３２に対して、モータ軸３２の径より大きな径を有する側がモータハウジング（モータ本体）３０側にくるように取り付けられており、送りネジ１８とモータ軸３２との固定は、モータ軸３２の先端部において、モータ軸３２の径とほぼ同じ径を有する上記小径部４１ａを用いて行われている。
【００５８】
一方、送りネジ１８が固定された上記モータ軸３２は、その先端と後端とが、２つの軸受３５・３３で受けられている。ここでは、モータ軸３２における送りネジ１８の軸穴４１に洞貫される側の長い方を前、送りネジ１８側とは反対側のモータブラシ３７が設けられている側を後とする。モータ軸３２の先端部を受ける軸受（第１の軸受）３５は、モータハウジング３０に固定されたモータアングル３１に固定されており、モータ軸３２の後端部を受ける軸受（第２の軸受）３３は、モータハウジング３０内に設けられている。
【００５９】
また、上記モータ軸３２には、その中央部を受ける、モータハウジング３０に固定された軸受３４が設けられている。この軸受３４は、前述した図４に示す送り機構３１５における軸受２３４と同様のものであり、先端と後端の軸受３５・３３の公差分より大きい径を有していて、万一の時のモータ軸３２の必要以上の変形を防止するために配されている。なお、この軸受３４を設ける構成は、採用しても採用しなくとも、本発明には何ら影響しないものである。
【００６０】
そして、この送り機構１５の特徴として、上記送りネジ１８のモータハウジング３０側が、第３の軸受としての軸受（第３の軸受）３６で受けられている。ここでは、この軸受３６はモータアングル３１に固定されている。
【００６１】
このような構成において、送りモータ１６が回転すると、送りモータ１６と一体になった送りネジ１８が回転し、この送りネジ１８の回転により、送りネジ１８に噛み合ったピックアップユニット７（図２、図３参照）が、光磁気ディスク１の半径方向にスライド移動する。
【００６２】
上記の構成では、送りモータ１６のモータ軸３２は、その先端とその後端の２ヶ所を軸受３５・３３でそれぞれ受けられているので、従来の３つの軸受が一直線上に並ぶ構成のように、加工上や組立上の公差を原因として、精度的に過拘束となったり、余分な負荷が掛かるといったことがなく、モータ軸３２は変形することなく精度良く回転する。
【００６３】
さらに、モータ軸３２に固定された送りネジ１８に形成された軸穴４１の径をモータ軸３２の径より大きく形成し、モータ軸３２より太いこの送りネジ１８の端部を軸受３６で受けているので、つまりは、送りネジ１８の両端を軸受３５・３６の短い軸受スパンで受けているようになり、送りネジ１８にグリップバネ２０の荷重が掛かったとしても、ほとんど変形することがなく、精度良く回転できるものである。また、モータ軸３２にはグリップバネ２０の荷重が掛からないため、モータ軸３２が変形することもない。
【００６４】
したがって、図４にて示した送り機構３１５では、ピックアップユニット７が送りモータ１６側に移動してきたときに、グリップバネ２０の荷重がモータ軸３２の中央部に掛かって、モータ軸３２が変形してしまうといった不具合があったが、これによれば、ピックアップユニット７を精度良く送ることができる。また、モータ軸３２の変形が起こらないため、軸受３３・３５・３６の早期磨耗も回避できる。
【００６５】
【発明の効果】
本発明の送り機構は、以上のように、送りモータのモータ軸の一方に送りネジが固定された送りネジ一体型の送り機構において、上記送りネジの中心部には上記モータ軸の径より大きい径の軸穴が形成され、この軸穴に上記モータ軸が洞貫され、該モータ軸の先端側にてモータ軸と固定される一方、上記モータ軸の送りネジが固定された側の先端部及び送りネジが固定された側とは反対側の後端部がそれぞれ第１及び第２の軸受で受けられ、かつ、上記送りネジの送りモータ本体側が第３の軸受で受けられている構成である。
【００６６】
本発明の光ディスク記録再生装置用送り機構は、以上のように、光ディスクに対して情報の記録及び／又は再生を行う光ディスク記録再生装置に搭載され、上記した本発明の送り機構にて、情報の記録及び／又は再生を行う記録再生ヘッド部を平行移動させる構成である。
【００６７】
これにより、モータ軸と送りネジとが一体化された、騒音が小さく、高速送りが可能であり、さらに伝達機構が必要ない分、部品点数を少なくできるといった利点を有した構成を採用しながらも、送りモータのモータ軸は、その先端とその後端の２ヶ所を第１及び第２の軸受でそれぞれ受けられているので、従来の３つの軸受が一直線上に並ぶ構成のように、加工上や組立上の公差を原因として、精度的に過拘束となったり、余分な負荷が掛かるといったことがなく、モータ軸は変形することなく精度良く回転し、また、これを受ける軸受の早期磨耗といった問題も回避できる。
【００６８】
さらに、モータ軸に固定された送りネジに形成された軸穴の径を、モータ軸の径より大きく形成し、この送りネジのほぼ両端を第２及び第３の軸受で受けているので、送りネジに例えば前述のようにグリップバネの荷重が掛かったとしても、ほとんど変形することがなく、精度良く回転できるものである。また、モータ軸にはグリップバネの荷重が掛からないため、モータ軸も変形することがない。
【００６９】
その結果、部品点数が少なく、騒音も小さく、また、高速送りが可能であって、かつ、モータ軸が精度良く回転し、モータ軸の変形やこれに伴う送り不良といった不具合を一切伴わない、光ディスク記録再生装置の記録再生ヘッドの送り機構に好適に用いられる優れた送り機構を提供できるという効果を奏する。
【００７０】
また、本発明の送り機構及び光ディスク記録再生装置用送り機構は、以上のように、上記構成に加えて、上記送りネジに形成された軸穴は、モータ本体側とは反対側の端部においてモータ軸とほぼ同じ径に形成されており、このほぼ同じ径を有する部分でモータ軸に固定されている構成である。
【００７１】
これにより、固定部材等を用いて送りネジを固定する構成に比べて、モータ軸に対する送りネジの固定が容易であり、かつ、部品点数も少なくてすむといった効果を併せて奏する。
【図面の簡単な説明】
【図１】本発明の実施の一形態を示すもので、光ディスク記録再生装置のディスクドライブに搭載されたピックアップユニットの送り機構のモータ機構部分を示すもので、（ａ）は平面図、（ｂ）は正面図である。
【図２】上記ディスクドライブの構成を示すもので、（ａ）は平面図、（ｂ）は側面図、（ｃ）は裏面図である。
【図３】上記ディスクドライブにおける送り機構でスライド移動されるピックアップユニットと送りネジとの噛み合わせ部分を説明する斜視図である。
【図４】本発明の前提となる送り機構の構成を採用した、ピックアップユニットの送り機構のモータ機構部分を示すもので、（ａ）は平面図、（ｂ）は正面図である。
【図５】従来の光ディスク記録再生装置におけるディスクドライブの構成を示すもので、（ａ）は平面図、（ｂ）は側面図、（ｃ）は裏面図である。
【図６】他の従来の光ディスク記録再生装置におけるディスクドライブの構成を示すもので、（ａ）は平面図、（ｂ）は側面図、（ｃ）は裏面図である。
【図７】図６のディスクドライブに搭載されたピックアップユニットの送り機構のモータ機構部分を示すもので、（ａ）は平面図、（ｂ）は正面図である。
【符号の説明】
１    光磁気ディスク（光ディスク）
７    ピックアップユニット（記録再生ヘッド部）
１５    送り機構（光ディスク記録再生装置用送り機構）
１６    送りモータ
１８    送りネジ
３２    モータ軸
３３    軸受（第２の軸受）
３５    軸受（第１の軸受）
３６    軸受（第３の軸受）
４１    軸穴
４１ａ  小径部（ほぼ同じ径を有する部分）
【図１】
0003688594.tif 000002
【図２】
0003688594.tif 000003
【図３】
0003688594.tif 000004
【図４】
0003688594.tif 000005
【図５】
0003688594.tif 000006
【図６】
0003688594.tif 000007
【図７】
0003688594.tif 000008